(57)【要約】【課題】設定された断熱性能を満たすことができる床断熱構造及び床断熱材施工方法を得る。【解決手段】建物１２の床大梁２０及び床小梁３４の建物下方側の端面２０Ｂ、３４Ｂには、略板状に形成されかつ床大梁２０及び床小梁３４の建物下方側の端面２０Ｂ、３４Ｂを建物下方側から覆う第１断熱材４４、４６が設けられている。つまり、床下空間１３が狭くなる床大梁２０及び床小梁３４の建物下方側の端面２０Ｂ、３４Ｂに、作業性によるばらつきを抑えて略一定の厚さの断熱層を確保することができる。一方、隣接する床大梁２０及び床小梁３４同士の間には、第２断熱材５０が設けられている。この第２断熱材５０は、床大梁２０及び床小梁３４を第１断熱材４４と連続的に建物下方側から覆っている。このため、安定した断熱性能を得ることができる。これにより、設定された断熱性能を満たすことができる。【選択図】図２
2020041316.tif 000002
【特許請求の範囲】
【請求項１】
建物の床部に設けられた複数の床梁と、
前記床梁の建物下方側の端面に取り付けられると共に、略板状に形成されかつ前記床梁の建物下方側の端面を建物下方側から覆う第１断熱材と、
隣接する前記床梁同士の間に設けられかつ前記第１断熱材の配設後の状態において前記床梁の露出面を前記第１断熱材と連続的に建物下方側から覆っている第２断熱材と、
を有する床断熱構造。
【請求項２】
前記第２断熱材は、建物下方側の端面が前記床梁の下端部より建物下方側に位置している、
請求項１記載の床断熱構造。
【請求項３】
建物の床部に設けられた複数の床梁と、
前記床梁上に載置された床板と、
前記床梁の建物下方側の端面に取り付けられると共に、略板状に形成されかつ前記床梁の建物下方側の端面を建物下方側から覆う第１断熱材と、
隣接する前記床梁同士の間に設けられかつ前記床梁を前記第１断熱材と連続的に建物下方側から覆っている第２断熱材と、
を有する床断熱構造が適用された前記建物の床断熱材施工方法であって、
前記第１断熱材を前記床梁の建物下方側の端面へ取り付ける第１工程と、隣接する前記床梁同士の間に前記床板の建物下方側から前記第２断熱材を吹き付ける第２工程と、
を有する床断熱材施工方法。
【請求項４】
前記第１工程において、前記第１断熱材は前記床梁の建物下方側の端面に押し付けることにより又は接着力により仮保持されている、
請求項３に記載の床断熱材施工方法。
【請求項５】
前記床断熱構造は、柱と梁とで箱型に形成される建物ユニットを複数並べて構成されたユニット建物に設けられており、
隣接する前記建物ユニットの前記柱同士の間の隙間を埋める第３断熱材を設けた後に前記第１工程及び前記第２工程を施工する、
請求項３又は請求項４に記載の床断熱材施工方法。
【発明の詳細な説明】
【技術分野】
【０００１】
本発明は、床断熱構造及び床断熱材施工方法に関する。
【背景技術】
【０００２】
下記特許文献１には、床材の断熱施工方法について開示されている。この断熱施工方法では、建物の床下空間内に配設されたホースの先端に接続されたスプレーガンから床下空間に入り込んだ作業員が発泡ウレタン製の断熱材を床材の下面に吹き付ける。これにより、新築住宅であるか既設住宅であるかを問わず建物の床部に断熱層を形成することができる。
【先行技術文献】
【特許文献】
【０００３】
【特許文献１】特開２０００−３４７９０号公報
【発明の概要】
【発明が解決しようとする課題】
【０００４】
ところで、上記特許文献１に開示された方法の場合、床下空間に作業員が入り込んで断熱材を吹き付ける作業を行うが、床梁が配置された部位では、床梁が建物下方側へ突出しているため、床下空間が特に狭くなる。この場合、作業性が低下するため、施工精度が低下して設定された断熱性能を満たすことができない可能性がある。したがって、上記先行技術はこの点で改良の余地がある。
【０００５】
本発明は上記問題を考慮し、設定された断熱性能を満たすことができる床断熱構造及び床断熱材施工方法を得ることを目的とする。
【課題を解決するための手段】
【０００６】
第１の態様に係る床断熱構造は、建物の床部に設けられた複数の床梁と、前記床梁の建物下方側の端面に取り付けられると共に、略板状に形成されかつ前記床梁の建物下方側の端面を建物下方側から覆う第１断熱材と、隣接する前記床梁同士の間に設けられかつ前記第１断熱材の配設後の状態において前記床梁の露出面を前記第１断熱材と連続的に建物下方側から覆っている第２断熱材と、を有している。
【０００７】
第２の態様に係る床断熱構造は、第１の態様に係る発明において、前記第２断熱材は、建物下方側の端面が前記床梁の下端部より建物下方側に位置している。
【０００８】
第３の態様に係る床断熱材施工方法は、建物の床部に設けられた複数の床梁と、前記床梁上に載置された床板と、前記床梁の建物下方側の端面に取り付けられると共に、略板状に形成されかつ前記床梁の建物下方側の端面を建物下方側から覆う第１断熱材と、隣接する前記床梁同士の間に設けられかつ前記床梁を前記第１断熱材と連続的に建物下方側から覆っている第２断熱材と、を有する床断熱構造が適用された前記建物の床断熱材施工方法であって、前記第１断熱材を前記床梁の建物下方側の端面へ取り付ける第１工程と、隣接する前記床梁同士の間に前記床板の建物下方側から前記第２断熱材を吹き付ける第２工程と、を有している。
【０００９】
第４の態様に係る床断熱材施工方法は、第３の態様に係る発明において、前記第１工程において、前記第１断熱材は前記床梁の建物下方側の端面に押し付けることにより又は接着力により仮保持されている。
【００１０】
第５の態様に係る床断熱材施工方法は、第３又は第４の態様に係る発明において、前記床断熱構造は、柱と梁とで箱型に形成される建物ユニットを複数並べて構成されたユニット建物に設けられており、隣接する前記建物ユニットの前記柱同士の間の隙間を埋める第３断熱材を設けた後に前記第１工程及び前記第２工程を施工する。
【００１１】
第１の態様によれば、建物の床部には複数の床梁が設けられており、この床梁の建物下方側の端面には第１断熱材が取り付けられている。第１断熱材は、略板状に形成されており、床梁の建物下方側の端面を建物下方側から覆っている。つまり、床下空間が狭くなる床梁の建物下方側の端面に、略一定の厚さに形成された第１断熱材を貼り付けることで、断熱材を吹き付け難い床梁の建物下方側の端面にも作業性によるばらつきを抑えて略一定の厚さの断熱層を確保することができる。一方、隣接する床梁同士の間には、第２断熱材が設けられている。この第２断熱材は、第１断熱材の配設後の状態において床梁の露出面を第１断熱材と連続的に建物下方側から覆っている。したがって、床梁は第１断熱材と第２断熱材とで建物下方側に露出しない構成となる。このため、安定した断熱性能を得ることができる。
【００１２】
第２の態様によれば、第２断熱材における建物下方側の端面が床梁の下端部より建物下方側に位置していることから、第２断熱材は床梁の建物下方側の端面に取り付けられた第１断熱材に当接する。したがって、第２断熱材によって、第１断熱材を保持することができるので、第１断熱材を床梁に取り付ける方法の選定に幅を持たせることができる。これにより、設計自由度を向上させることができる。
【００１３】
第３の態様によれば、第１工程にて第１断熱材を床梁の建物下方側の端面に取り付けると共に、第２工程にて隣接する床梁同士の間における床板の建物下方側から第２断熱材が吹き付けられる。つまり、床下空間が狭くなることで断熱材の吹き付け作業性が低下する部位である床梁には、予め第１断熱材が取り付けられることから、床梁への断熱材の吹き付けが不要となり、作業性を向上させることができる。
【００１４】
第４の態様によれば、第１工程において、第１断熱材は床梁の建物下方側の端面に押し付けることにより又は接着力により仮保持されていることから、第１断熱材の取り付け作業が容易となって取付精度を向上させることができる。
【００１５】
第５の態様によれば、柱と梁とで箱型に形成された建物ユニットを複数並べて構成されるユニット建物の床部において、第１工程及び第２工程の前にユニット建物における隣接する建物ユニットの柱同士の間の隙間を埋めるように第３断熱材を設ける。したがって、ユニット建物特有の柱が隣接する部位の柱同士の間の隙間から熱や空気が移動するのを第３断熱材によって抑制することができる。これにより、ユニット建物においても断熱性能と気密性能を確保することができる。
【発明の効果】
【００１６】
以上説明したように、本発明に係る床断熱構造及び床断熱材施工方法は、予め設定された断熱性能を確保することができるという優れた効果を有する。
【図面の簡単な説明】
【００１７】
【図１】第１実施形態に係る床断熱構造を有する建物の一部を建物上方側から見た状態を示す平面図である。
【図２】図１におけるＡ−Ａ線に沿って切断した状態を示す断面図である。
【図３】第１実施形態に係る床断熱構造の一部を建物上方側から見た状態を示す断面図である。
【図４】図３に対し建物側方側から見た状態を示す側面図である。
【図５】第２実施形態に係る床断熱構造の一部を建物側方側から見た状態を示す断面図である。
【発明を実施するための形態】
【００１８】
（第１実施形態）
以下、図１〜４を用いて、本発明に係る床断熱構造及び床断熱材施工方法の第１実施形態について説明する。
【００１９】
（建物の全体構成）
図１に示されるように、基礎１０の上には、建物１２が設けられている。この建物１２の一例として、本実施形態ではユニット建物が採用されており、二つの建物ユニット１４と、当該建物ユニット１４における短手方向の寸法を半分にした建物ユニットの変形例としての二つのハーフユニット１６と、が連結されることによって構成されている。
【００２０】
建物ユニット１４は、図示はしないが箱型（直方体状）を成しており、建物ユニット１４の四隅に柱としての外柱１８が配設されている。外柱１８は平面視で四角筒状の角形鋼により形成されている。建物ユニット１４の外柱１８の上端部はそれぞれ４本の図示しない梁としての天井大梁によって連結され、各外柱１８の下端部はそれぞれ床梁としての４本の床大梁２０によって連結されている。また、天井大梁及び床大梁２０は建物１２の高さ方向に沿って切断したときの断面形状がコ字状を成す溝形鋼により形成されている（図２参照）。
【００２１】
ハーフユニット１６は、建物ユニット１４と略同様の構成とされている。すなわち、図示はしないが箱型（直方体状）を成しており、ハーフユニット１６の四隅に外柱２２が配設されている。外柱２２は外柱１８と同様の大きさ及び構成とされている。すなわち、平面視で四角筒状の角形鋼により形成されている。また、ハーフユニット１６の各外柱２２の上端部がそれぞれ４本の図示しない天井大梁によって連結され、各外柱２２の下端部がそれぞれ床梁としての４本の床大梁２０によって連結されている。さらに、天井大梁及び床大梁２０は建物１２の高さ方向に沿って切断したときの断面形状が建物ユニット１４の床大梁２０と同様にコ字状を成す溝形鋼により形成されている。なお、建物ユニット１４の床大梁２０と、ハーフユニット１６の床大梁２０とは、サイズ以外同一の構成とされているため、同一の符号を付して説明する。
【００２２】
建物ユニット１４同士は、それぞれの短手方向に沿って延設された一方の床大梁２０同士が隣接して連結されている。また、建物ユニット１４とハーフユニット１６とは、建物ユニット１４の長手方向に沿って延設された一方の床大梁２０と、ハーフユニット１６の長手方向に沿って延設された一方の床大梁２０と、が隣接して連結されている。これによって、建物１２は平面視で略矩形状に形成されている。
【００２３】
以上のような建物１２が基礎１０上に固定されている。基礎１０は、建物１２の全周に沿って連続して設けられた外周基礎１０Ａと、外周基礎１０Ａにより囲まれた内側空間（床下空間１３）に設けられた柱受け基礎１０Ｂとを有している。外周基礎１０Ａは、鉄筋コンクリート造の布基礎とされており、床下地盤の内部に埋設されたフーチング部（不図示）と、その上方へ向かって延びる立ち上がり部１０ＡＡと、を含んで構成されている。なお、床下空間１３の地盤面（ＧＬ）の全面は、土間コンクリート１５により覆われている。また、床下空間１３は、外周基礎１０Ａに形成された図示しない換気孔により建物外部と連通されている。
【００２４】
柱受け基礎１０Ｂは、外周基礎１０Ａと同様に、鉄筋コンクリート造の独立基礎とされており、床下地盤の内部に埋設されたフーチング部（不図示）と、その上方へ向かって延びる四角柱状の立ち上がり部１０ＢＡと、を含んで構成されている。柱受け基礎１０Ｂは、外周基礎１０Ａと図示しない基礎梁を介して繋がっている。
【００２５】
建物１２は、各外柱１８、２２をそれぞれ基礎１０上に載置した状態で設置されている。具体的には、建物ユニット１４及びハーフユニット１６の各外柱１８、２２のうち建物外周部に配置される外柱１８、２２は外周基礎１０Ａ上に設置され、屋内側に配置される外柱１８、２２は柱受け基礎１０Ｂ上に設置されている。
【００２６】
（床部）
建物１２の床部３０には、床断熱構造３２が設けられている。この床部３０は、上述した床大梁２０と、床梁としての床小梁３４と、床板３６（図２参照）と、を有している。床小梁３４は、建物ユニット１４に複数設けられており、建物ユニット１４の短手方向に沿って延設された角鋼管状に形成されている。床小梁３４の長手方向の端部は、建物ユニット１４の長手方向に延設された一対の床大梁２０にそれぞれ結合されている。同様に、床小梁３４は、ハーフユニット１６にも複数設けられており、ハーフユニット１６に設けられた床小梁３４は、ハーフユニット１６の短手方向に沿って延設されている。床小梁３４の長手方向の端部は、ハーフユニット１６長手方向に延設された一対の床大梁２０にそれぞれ結合されている。なお、建物ユニット１４の床小梁３４と、ハーフユニット１６の床小梁３４とは、サイズ以外同一の構成とされているため、同一の符号を付して説明する。
【００２７】
図２に示されるように、床大梁２０及び床小梁３４の建物上方側面２０Ａ、３４Ａには、床板３６が載置されている。この床板３６は、一例として合板又はパーティクルボード等により構成されており、図示しない締結具により床大梁２０及び床小梁３４に締結されている。この床板３６により、床大梁２０及び床小梁３４は、建物上方側から覆われている。
【００２８】
床板３６の裏面側、すなわち床板３６の床下空間１３側の面には、床裏断熱材４０が設けられている。床裏断熱材４０は、一例として板状に形成されたウレタンフォーム等の樹脂系断熱材により構成されており、床板３６の裏面側における床大梁２０及び床小梁３４に当接した箇所以外の範囲に貼り付けられている。
【００２９】
（第１断熱材）
床大梁２０の建物下方側の端面２０Ｂには、第１断熱材４４が建物下方側から取り付けられている。この第１断熱材４４は、建物上下方向を板厚方向とする略板状に形成されて                        おり、一例としてウレタンフォーム等の樹脂系断熱材により構成されている。なお、床大梁２０に取り付けられた第１断熱材４４は、隣接する床大梁２０同士における一方側の建物下方側の端面２０Ｂから他方側の建物下方側の端面２０Ｂに亘って取り付けられており、それぞれの床大梁２０の建物下方側の端面２０Ｂが床下空間１３に露出しない大きさに設定されている。換言すると、床大梁２０の建物下方側の端面２０Ｂは、第１断熱材４４により建物下方側から覆われている。
【００３０】
床小梁３４の建物下方側の端面３４Ｂには、床大梁２０と同様に第１断熱材４６が建物下方側から取り付けられている。すなわち、第１断熱材４６は、建物上下方向を板厚方向とする略板状に形成されており、一例としてウレタンフォーム等の樹脂系断熱材により構成されている。なお、床小梁３４に取り付けられた第１断熱材４６は、床小梁３４の建物下方側の端面３４Ｂが床下空間１３に露出しない大きさに設定されている。換言すると、床小梁３４の建物下方側の端面３４Ｂは、第１断熱材４６により建物下方側から覆われている。
【００３１】
第１断熱材４４、４６の厚さは、所定の厚さに設定されており、この所定の厚さとは、第１断熱材４４、４６の建物下方側の端面４４Ａ、４６Ａから土間コンクリート１５までの間に図示しない作業員が入り込める程度の空間高さ（一例として本実施形態では３３０ｍｍ以上）が確保できる厚さとされている。
【００３２】
第１断熱材４４、４６は、床大梁２０及び床小梁３４の建物下方側の端面２０Ｂ、３４Ｂに押し付けることで、図示しない両面テープによって床大梁２０及び床小梁３４の建物下方側の端面２０Ｂ、３４Ｂにそれぞれ仮保持されている。なお、本実施形態では、第１断熱材４４、４６は両面テープにより建物下方側の端面２０Ｂ、３４Ｂに固定されているが、これに限らず、コストや必要とする保持力に合わせてフックやクリップ等その他の保持部材により仮保持される構成でもよい。
【００３３】
（第２断熱材）
床大梁２０と、これに隣接する床小梁３４との間には、第２断熱材５０が建物下方側から設けられている。この第２断熱材５０は、一例としてスプレーガンにより吹き付け可能とされた発泡ウレタンフォームなどの樹脂系断熱材により構成されており、床板３６の裏面の床裏断熱材４０、床大梁２０及び床小梁３４に向かって床下空間１３（建物下方側）から吹き付けることで、床大梁２０の下端部２０Ｃ及び床小梁３４の下端部３４Ｃを建物下方側から覆っている。したがって、床板３６の裏面の床裏断熱材４０、床大梁２０及び床小梁３４のそれぞれに形状に追従して隙間なく第２断熱材５０が設けられている。換言すると、発泡ウレタン層が床大梁２０と、これに隣接する床小梁３４との間を建物下方側から埋めるように設けられている。
【００３４】
第２断熱材５０の厚さ、すなわち建物上下方向の寸法は、床裏断熱材４０（又は床大梁２０の建物上方側面２０Ａ）の裏面から第１断熱材４４、４６の板厚方向略中央部に対応した部位までとされている。換言すると、第２断熱材５０の建物下方側の端面５０Ａは、床大梁２０及び床小梁３４のそれぞれの下端部２０Ｃ、３４Ｃより建物下方側に位置している。すなわち、第２断熱材５０は、第１断熱材４４、４６の側面にも吹き付けられていることから、第２断熱材５０と第１断熱材４４、４６とが結合されている。以上の構成の第２断熱材５０は、床大梁２０と、これに隣接する床小梁３４との間のみならず、床小梁３４同士が隣接する部位の間（図１参照）にもそれぞれ設けられている。
【００３５】
（第３断熱材）
図３に示されるように、建物ユニット１４及びハーフユニット１６の各外柱１８、２２のうち屋内側に配置される外柱１８、２２の間には、第３断熱材５２が設けられている。この第３断熱材５２は、一例としてグラスウール等の繊維系断熱材とされており、外柱１８、２２同士の間の隙間を埋めるように設けられている。
【００３６】
図４に示されるように、第３断熱材５２は、外柱１８、２２の下端部に対応した部位に設けられている。具体的には、外柱１８、２２同士の間の隙間における柱受け基礎１０Ｂの上面１０ＢＢから床板３６の上面に対応した部位までの範囲に設けられている。したがって、床下空間１３から外柱１８、２２同士の間の隙間を介して床上空間（床板３６の上方側の空間、室内）への熱や空気の移動が抑制される。
【００３７】
（第４断熱材）
図３に示されるように、建物ユニット１４及びハーフユニット１６の床大梁２０同士の間の隙間には、第４断熱材５６が設けられている。この第４断熱材５６は、一例としてグラスウール等の繊維系断熱材とされており、床大梁２０同士の間の隙間を埋めるように設けられている。
【００３８】
（施工方法）
次に、床断熱材施工方法について説明する。
【００３９】
図１に示されるように、建物１２の建築地にて設けられた基礎１０上に、工場にて生産された建物ユニット１４及びハーフユニット１６が載置された後、図３に示されるように、建物ユニット１４及びハーフユニット１６の各外柱１８、２２のうち屋内側に配置される外柱１８、２２の間における下端側（図４参照）に第３断熱材５２を設ける。そして、建物ユニット１４及びハーフユニット１６の床大梁２０同士の間の隙間に、第４断熱材５６を設ける。
【００４０】
次に、図２に示されるように、床大梁２０及び床小梁３４の建物下方側の端面２０Ｂ、３４Ｂに、第１断熱材４４、４６をそれぞれ取り付ける。この第１断熱材４４、４６は、床大梁２０及び床小梁３４の建物下方側の端面２０Ｂ、３４Ｂにそれぞれ押し付けることで、クリップを介して仮保持される。第１断熱材４４、４６は、略板状、すなわち定型とされていることから、床大梁２０及び床小梁３４の真下以外の床下空間１３の高さに余裕がある所から床大梁２０及び床小梁３４への固定作業がやり易くなる。また、第１断熱材４４、４６はそれぞれ、床大梁２０及び床小梁３４の建物下方側の端面２０Ｂ、３４Ｂに対応したサイズとされていることから、床板３６の裏面を全て第１断熱材４４、４６にて覆う場合と比べてサイズを小さくすることができるので、床下空間１３内への搬入が比較的容易となる。なお、この工程が、請求項３に記載の「第１工程」に相当する。
【００４１】
次に、床大梁２０とこれに隣接する床小梁３４との間及び隣接する床小梁３４同士の間に、床下空間１３に配設されたホースの先端に接続されたスプレーガン（いずれも不図示）から第２断熱材５０を床板３６の裏面の床裏断熱材４０、床大梁２０及び床小梁３４に向かって吹き付ける。そして、第２断熱材５０が床裏断熱材４０（又は床大梁２０の建物上方側面２０Ａ）の裏面から第１断熱材４４、４６の板厚方向略中央部に対応した部位に達するまで吹き付けられる。これにより、床大梁２０とこれに隣接する床小梁３４との間及び隣接する床小梁３４同士の間の空間は、第２断熱材５０によりそれぞれ埋められている。換言すると、第１断熱材４４、４６が配設された後の状態において床大梁２０と床小梁３４との露出面を第２断熱材５０が建物下方側から覆っている。また、第２断熱材５０は、第１断熱材４４、４６の側面にも吹き付けられることで、第２断熱材５０と第１断熱材４４、４６とが結合されている。これにより、第１工程にて床大梁２０及び床小梁３４の建物下方側の端面２０Ｂ、３４Ｂに仮保持されている第１断熱材４４が永続的に固定される。なお、この工程が、請求項３に記載の「第２工程」に相当する。
【００４２】
（実施形態の作用・効果）
次に、本実施形態の作用並びに効果を説明する。
【００４３】
本実施形態によれば、図１に示されるように、建物１２の床部３０には複数の床大梁２０及び床小梁３４が設けられており、図２に示されるように、この床大梁２０及び床小梁３４の建物下方側の端面２０Ｂ、３４Ｂには第１断熱材４４、４６が取り付けられている。第１断熱材４４、４６は、略板状に形成されており、床大梁２０及び床小梁３４の建物下方側の端面２０Ｂ、３４Ｂを建物下方側から覆っている。つまり、床下空間１３が狭くなる床大梁２０及び床小梁３４の建物下方側の端面２０Ｂ、３４Ｂに、略一定の厚さに形成された第１断熱材４４、４６を貼り付けることで、第２断熱材５０を吹き付け難い床大梁２０及び床小梁３４の建物下方側の端面２０Ｂ、３４Ｂにも作業性によるばらつきを抑えて略一定の厚さの断熱層を確保することができる。一方、隣接する床大梁２０及び床小梁３４同士の間には、第２断熱材５０が設けられている。この第２断熱材５０は、床大梁２０及び床小梁３４を第１断熱材４４、４６と連続的に建物下方側から覆っている。換言すると、第２断熱材５０は、第１断熱材４４、４６の配設後の状態において床大梁２０及び床小梁３４の露出面を第１断熱材４４、４６と連続的に建物下方側から覆っている。したがって、床大梁２０及び床小梁３４は第１断熱材４４、４６と第２断熱材５０とで建物下方側に露出しない構成となる。このため、安定した断熱性能を得ることができる。これにより、設定された断熱性能を満たすことができる。
【００４４】
また、第２断熱材５０における建物下方側の端面５０Ａが床大梁２０及び床小梁３４の下端部２０Ｃ、３４Ｃより建物下方側に位置していることから、第２断熱材５０は床大梁２０及び床小梁３４の建物下方側の端面２０Ｂ、３４Ｂに取り付けられた第１断熱材４４、４６に当接する。したがって、第２断熱材５０によって、第１断熱材４４、４６を保持することができるので、第１断熱材４４、４６を床大梁２０及び床小梁３４に取り付ける方法の選定に幅を持たせることができる。これにより、設計自由度を向上させることができる。
【００４５】
さらに、第１工程にて第１断熱材４４、４６を床大梁２０及び床小梁３４の建物下方側の端面２０Ｂ、３４Ｂに取り付けると共に、第２工程にて隣接する床大梁２０及び床小梁３４同士の間における床板３６の建物下方側から第２断熱材５０が吹き付けられる。つまり、床下空間１３が狭くなることで第２断熱材５０の吹き付け作業性が低下する部位である床大梁２０及び床小梁３４には、予め第１断熱材４４、４６が取り付けられることから、床大梁２０及び床小梁３４への第２断熱材５０の吹き付けが不要となり、作業性を向上させることができる。
【００４６】
さらにまた、第１工程において、第１断熱材４４、４６は床大梁２０及び床小梁３４の建物下方側の端面２０Ｂ、３４Ｂに押し付けることにより両面テープによって仮保持されていることから、第１断熱材４４、４６の取り付け作業が容易となって取付精度を向上させることができる。
【００４７】
また、外柱１８、２２と床大梁２０及び床小梁３４とで箱型に形成された建物ユニット１４、ハーフユニット１６を複数並べて構成されるユニット建物の床部３０において、第１工程及び第２工程の前にユニット建物における隣接する建物ユニット１４、ハーフユニット１６の外柱１８、２２同士の間の隙間を埋めるように第３断熱材５２を設ける。したがって、ユニット建物特有の外柱１８、２２が隣接する部位の外柱１８、２２同士の間の隙間から熱や空気が移動するのを第３断熱材５２によって抑制することができる。これにより、ユニット建物においても断熱性能と気密性能を確保することができる。
【００４８】
（第２実施形態）
次に、図５を用いて、本発明の第２実施形態に係る床断熱構造について説明する。なお、前述した第１実施形態等と同一構成部分については、同一番号を付してその説明を省略する。
【００４９】
この第２実施形態に係る床断熱構造７０及び床断熱材施工方法は、基本的な構成は第１実施形態と同様とされ、床大梁２０内に第５断熱材７２を設ける点に特徴がある。
【００５０】
すなわち、図５に示されるように、溝形鋼である床大梁２０の断面内側、すなわち上フランジ２１Ａとウェブ２１Ｂと下フランジ２１Ｃとで囲まれた溝内部には、第５断熱材７２が設けられている。この第５断熱材７２は、一例としてグラスウール等の繊維系断熱材とされており、床大梁２０の溝を略埋めるように設けられている。
【００５１】
（第２実施形態の作用・効果）
次に、第２実施形態の作用並びに効果を説明する。
【００５２】
上記構成によっても、床大梁２０内に第５断熱材７２を設ける点以外は第１実施形態の床断熱構造３２と同様に構成されているので、第１実施形態と同様の効果が得られる。また、床大梁２０内に第５断熱材７２が設けられていることによって、第２断熱材５０を床下空間１３から床大梁２０へ向けて吹き付ける際に、床大梁２０の溝内部への吹き付けが不要となる。すなわち、床大梁２０が複雑な断面形状の場合、入り組んだ部位へ第２断熱材５０が吹き付け難い可能性があり、この場合作業性が低下すると共に施工不良が発生する可能性がある。しかし、本実施形態のように、床大梁２０の入り組んだ部位を予め第５断熱材７２によって埋めて、ある程度ならしておくことで、第２断熱材５０を吹き付ける際の作業性の低下を防ぐことができる。これにより、施工不良の発生を抑制して予め設定された断熱性能を確保することができる。
【００５３】
なお、上述した第１、第２実施形態では、床大梁２０は、溝形鋼とされているが、これに限らず、Ｈ型鋼やＣ型鋼や角鋼管等その他の形状としてもよい。また、床小梁３４は、角鋼管状に形成されているが、これに限らず、溝形鋼やＨ型鋼やＣ型鋼等その他の形状としてもよい。また、第２実施形態では、床大梁２０にのみ第５断熱材７２が設けられた構成とされているが、これに限らず、溝形鋼やＨ型鋼等により複雑な断面形状とされた場合の床小梁３４の断面内部に第５断熱材７２を設けた構成としてもよい。
【００５４】
さらに、第１断熱材４４、４６、第２断熱材５０及び床裏断熱材４０は、樹脂系断熱材とされているが、これに限らず、繊維系断熱材により構成されてもよい。さらにまた、第３断熱材５２（図３参照）、第４断熱材５６及び第５断熱材７２は、繊維系断熱材とされているが、これに限らず、樹脂系断熱材により構成されてもよい。
【００５５】
また、第１工程の前に第３断熱材５２を設けた構成（図３参照）とされているが、これに限らず、これ以外のタイミングにて第３断熱材５２を設けてもよいし、第３断熱材５２を設けない構成としてもよい。
【００５６】
さらに、床板３６の裏面に床裏断熱材４０が設けられた構成とされているが、これに限らず、床裏断熱材４０がない状態の床板３６の裏面に第２断熱材５０を設ける構成としてもよい。さらにまた、床大梁２０及び床小梁３４の上に床板３６が載置された構成とされているが、これに限らず、床大梁２０及び床小梁３４の上に根太や大引き（いずれも不図示）などが載置され、根太や大引きなどによって床大梁２０及び床小梁３４と床板３６との間に発生する隙間を第３断熱材５２や第４断熱材５６やその他の断熱材によって埋める構成としてもよい。
【００５７】
また、新築物件に施工する方法について説明したが、これに限らず、既設物件に本床断熱材施工方法を施工してもよい。
【００５８】
さらに、床断熱構造３２、７０は、ユニット建物に適用された構成としているが、これに限らず、軸組工法等の他の工法による建物に適用してもよい。
【００５９】
以上、本発明の実施形態について説明したが、本発明は、上記に限定されるものでなく、その主旨を逸脱しない範囲内において上記以外にも種々変形して実施することが可能であることは勿論である。
【符号の説明】
【００６０】
１２   建物
１４   建物ユニット
１６   ハーフユニット（建物ユニット）
２０   床大梁（床梁）
２０Ｂ 建物下方側の端面
３４Ｂ 建物下方側の端面
２０Ｃ 下端部
３０   床部
３２   床断熱構造
３４   床小梁（床梁）
３４Ｃ 下端部
３６   床板
４４   第１断熱材
４６   第１断熱材
５０   第２断熱材
５０Ａ 建物下方側の端面
５２   第３断熱材
７０   床断熱構造
【図１】
2020041316.tif 000003
【図２】
2020041316.tif 000004
【図３】
2020041316.tif 000005
【図４】
2020041316.tif 000006
【図５】
2020041316.tif 000007